(57)【要約】【課題】長時間にわたり生体信号を取得可能にする。【解決手段】生体信号取得電極１は、絶縁性を有する基材１０と、基材１０の生体と接触する面に配置された導電性材料からなる電極部１１と、電極部１１と接触している生体の皮膚表面を加熱するための導電性材料からなるヒーター部１２とを備えている。制御部２は、電極部１１が検出した生体信号を取得する生体信号測定部と、ヒーター部１２に電流を供給して発熱させることにより、電極部１１と接触している生体の皮膚表面を加熱する加熱制御部とを備える。【選択図】  図１
2015077321.tif 000002
【特許請求の範囲】
【請求項１】
絶縁性を有する基材と、
この基材の生体と接触する面に配置された導電性材料からなる電極部と、
前記基材に配置され、前記電極部と接触している生体の皮膚表面を加熱するための導電性材料からなるヒーター部とを備えることを特徴とする生体信号取得電極。
【請求項２】
請求項１記載の生体信号取得電極において、
さらに、前記基材の生体と接触する面に配置され、生体の皮膚表面の温度を測定する温度センサと、
前記基材の生体と接触する面に配置され、生体の皮膚表面の保湿具合を測定する水分センサとを備えることを特徴とする生体信号取得電極。
【請求項３】
請求項１または２記載の生体信号取得電極において、
前記電極部と前記ヒーター部とは、同一の材料で一体の部材として成形されることを特徴とする生体信号取得電極。
【請求項４】
絶縁性を有する基材と、この基材の生体と接触する面に配置された導電性材料からなる電極部と、前記基材に配置され、前記電極部と接触している生体の皮膚表面を加熱するための導電性材料からなるヒーター部とを備えた生体信号取得電極から、生体信号を取得する生体信号取得装置であって、
前記電極部が検出した生体信号を取得する生体信号測定手段と、
前記ヒーター部に電流を供給して発熱させることにより、前記電極部と接触している生体の皮膚表面を加熱する加熱制御手段とを備えることを特徴とする生体信号取得装置。
【請求項５】
絶縁性を有する基材と、この基材の生体と接触する面に配置された導電性材料からなる電極部と、前記基材に配置され、前記電極部と接触している生体の皮膚表面を加熱するための導電性材料からなるヒーター部と、前記基材の生体と接触する面に配置され、生体の皮膚表面の温度を測定する温度センサと、前記基材の生体と接触する面に配置され、生体の皮膚表面の保湿具合を測定する水分センサとを備えた生体信号取得電極から、生体信号を取得する生体信号取得装置であって、
前記電極部が検出した生体信号を取得する生体信号測定手段と、
前記電極部と生体との間の接触インピーダンスを測定するインピーダンス測定手段と、
前記ヒーター部に電流を供給して発熱させることにより、前記電極部と接触している生体の皮膚表面を加熱すると共に、前記インピーダンス測定手段が測定した接触インピーダンスと前記温度センサが測定した温度と前記水分センサが測定した保湿具合のうち少なくとも１つに応じて、前記ヒーター部への電流供給を制御する加熱制御手段とを備えることを特徴とする生体信号取得装置。
【請求項６】
請求項５記載の生体信号取得装置において、
前記加熱制御手段は、前記インピーダンス測定手段が測定した接触インピーダンスが対応するインピーダンス規定値以上、前記水分センサが測定した保湿具合を示す値が対応する保湿具合規定値未満の２つの条件のうち少なくとも１つが成立する場合に、前記ヒーター部に電流を供給して、前記電極部と接触している生体の皮膚表面を加熱することを特徴とする生体信号取得装置。
【請求項７】
請求項６記載の生体信号取得装置において、
前記加熱制御手段は、前記インピーダンス測定手段が測定した接触インピーダンスが対応するインピーダンス規定値未満、前記温度センサが測定した温度が対応する温度規定値以上、前記水分センサが測定した保湿具合を示す値が対応する保湿具合規定値以上の３つの条件のうち少なくとも１つが成立する場合に、前記ヒーター部に電流を供給しないことを特徴とする生体信号取得装置。
【請求項８】
請求項５乃至７のいずれか１項に記載の生体信号取得装置において、
前記電極部と前記ヒーター部とは、同一の材料で一体の部材として成形されるものであり、
前記加熱制御手段は、前記電極部と前記ヒーター部とが一体となった部材から前記生体信号測定手段が生体信号を取得しない時間に、この部材に電流を供給してヒーター部として動作させることを特徴とする生体信号取得装置。
【請求項９】
絶縁性を有する基材と、この基材の生体と接触する面に配置された導電性材料からなる電極部と、前記基材に配置され、前記電極部と接触している生体の皮膚表面を加熱するための導電性材料からなるヒーター部とを備えた生体信号取得電極から、生体信号を取得する生体信号取得方法であって、
前記電極部が検出した生体信号を取得する生体信号測定ステップと、
前記ヒーター部に電流を供給して発熱させることにより、前記電極部と接触している生体の皮膚表面を加熱する加熱制御ステップとを含むことを特徴とする生体信号取得方法。
【請求項１０】
絶縁性を有する基材と、この基材の生体と接触する面に配置された導電性材料からなる電極部と、前記基材に配置され、前記電極部と接触している生体の皮膚表面を加熱するための導電性材料からなるヒーター部と、前記基材の生体と接触する面に配置され、生体の皮膚表面の温度を測定する温度センサと、前記基材の生体と接触する面に配置され、生体の皮膚表面の保湿具合を測定する水分センサとを備えた生体信号取得電極から、生体信号を取得する生体信号取得方法であって、
前記電極部が検出した生体信号を取得する生体信号測定ステップと、
前記電極部と生体との間の接触インピーダンスを測定するインピーダンス測定ステップと、
前記インピーダンス測定ステップで測定した接触インピーダンスと前記温度センサが測定した温度と前記水分センサが測定した保湿具合のうち少なくとも１つに応じて、前記ヒーター部への電流供給を制御する加熱制御ステップとを含むことを特徴とする生体信号取得方法。
【発明の詳細な説明】
【技術分野】
【０００１】
本発明は、生体信号を測定するために用いられる体表面装着型の生体信号取得電極、この電極を用いて生体信号を取得する生体信号取得装置および生体信号取得方法に関するものである。
【背景技術】
【０００２】
脳波、事象関連電位、誘発電位、筋電図、心電図等の生体電気信号の記録のために、体表面装着型の生体電極が広く使用されている。以下、体表面装着型の生体電極を単に生体電極と呼ぶ。これらの生体電極では、電極と皮膚との接触インピーダンスを下げることが信号を検出する上で重要となる。
【０００３】
従来広く使用されている生体電極は、金属製の電極板と電解質溶液を含むゲルまたはペーストとから構成される。これらの生体電極の基本構造は、金属製の電極板と皮膚表面との間にゲル又はペーストを使用（塗布）することにより、電極板と皮膚表面とを固定する基本構造を有する。すなわち、電解成分を介すことで、電極と皮膚表面との接触抵抗を低下させる手法が一般的にとられている（非特許文献１参照）。
【０００４】
生体電気信号を記録する別の手段として、スポーツ分野などにおいて、水道水などの水分を銀糸などのテキスタイル電極に染みこませ、生体電気信号を取得する手法も広く採用されている（非特許文献２参照）。
【先行技術文献】
【非特許文献】
【０００５】
【非特許文献１】“ディスポ電極Ｎビトロード  Ｎ−０３ＩＳ３”，日本光電工業株式会社，＜http://www.nihonkohden.co.jp/iryo/products/supplies/01_electrode/n03is3_n03js3.html＞
【非特許文献２】“Polar WearLink + transmitter with Bluetooth”，Polar社，＜http://www.polar.com/en/products/accessories/Polar_WearLink_transmitter_with_Bluetooth＞
【発明の概要】
【発明が解決しようとする課題】
【０００６】
医療をはじめ、ヘルスプロモーション（人々が自らの健康とその決定要因をコントロールし、改善することができるようにするプロセス）やインフォメーションテクノロジー、ウエアラブルコンピューターなどの幅広い分野から、長時間の連続使用が可能な体表面装着型の生体電極が求められている。しかしながら、上述したようなゲルの生体電極を用いた場合、生体電極の装着によって、常時皮膚の表面が密閉されるため、特に長期間の連続使用においては、発汗の蒸れによる不快感又は掻痒感が生じるという課題があった。また上述したような銀糸テキスタイル電極を用いた場合、時間の経過とともに水分が蒸発することで長時間の測定が困難であるという課題があった。
【０００７】
本発明は、このような問題に鑑み、長時間にわたり生体信号を取得可能な生体信号取得電極、生体信号取得装置および生体信号取得方法を提供することを目的とする。
【課題を解決するための手段】
【０００８】
本発明の生体信号取得電極は、絶縁性を有する基材と、この基材の生体と接触する面に配置された導電性材料からなる電極部と、前記基材に配置され、前記電極部と接触している生体の皮膚表面を加熱するための導電性材料からなるヒーター部とを備えることを特徴とするものである。
また、本発明の生体信号取得電極の１構成例は、さらに、前記基材の生体と接触する面に配置され、生体の皮膚表面の温度を測定する温度センサと、前記基材の生体と接触する面に配置され、生体の皮膚表面の保湿具合を測定する水分センサとを備えることを特徴とするものである。
また、本発明の生体信号取得電極の１構成例において、前記電極部と前記ヒーター部とは、同一の材料で一体の部材として成形される。
【０００９】
また、本発明は、絶縁性を有する基材と、この基材の生体と接触する面に配置された導電性材料からなる電極部と、前記基材に配置され、前記電極部と接触している生体の皮膚表面を加熱するための導電性材料からなるヒーター部とを備えた生体信号取得電極から、生体信号を取得する生体信号取得装置であって、前記電極部が検出した生体信号を取得する生体信号測定手段と、前記ヒーター部に電流を供給して発熱させることにより、前記電極部と接触している生体の皮膚表面を加熱する加熱制御手段とを備えることを特徴とするものである。
【００１０】
また、本発明は、絶縁性を有する基材と、この基材の生体と接触する面に配置された導電性材料からなる電極部と、前記基材に配置され、前記電極部と接触している生体の皮膚表面を加熱するための導電性材料からなるヒーター部と、前記基材の生体と接触する面に配置され、生体の皮膚表面の温度を測定する温度センサと、前記基材の生体と接触する面に配置され、生体の皮膚表面の保湿具合を測定する水分センサとを備えた生体信号取得電極から、生体信号を取得する生体信号取得装置であって、前記電極部が検出した生体信号を取得する生体信号測定手段と、前記電極部と生体との間の接触インピーダンスを測定するインピーダンス測定手段と、前記ヒーター部に電流を供給して発熱させることにより、前記電極部と接触している生体の皮膚表面を加熱すると共に、前記インピーダンス測定手段が測定した接触インピーダンスと前記温度センサが測定した温度と前記水分センサが測定した保湿具合のうち少なくとも１つに応じて、前記ヒーター部への電流供給を制御する加熱制御手段とを備えることを特徴とするものである。
【００１１】
また、本発明の生体信号取得装置の１構成例において、前記加熱制御手段は、前記インピーダンス測定手段が測定した接触インピーダンスが対応するインピーダンス規定値以上、前記水分センサが測定した保湿具合を示す値が対応する保湿具合規定値未満の２つの条件のうち少なくとも１つが成立する場合に、前記ヒーター部に電流を供給して、前記電極部と接触している生体の皮膚表面を加熱することを特徴とするものである。
また、本発明の生体信号取得装置の１構成例において、前記加熱制御手段は、前記インピーダンス測定手段が測定した接触インピーダンスが対応するインピーダンス規定値未満、前記温度センサが測定した温度が対応する温度規定値以上、前記水分センサが測定した保湿具合を示す値が対応する保湿具合規定値以上の３つの条件のうち少なくとも１つが成立する場合に、前記ヒーター部に電流を供給しないことを特徴とするものである。
また、本発明の生体信号取得装置の１構成例において、前記電極部と前記ヒーター部とは、同一の材料で一体の部材として成形されるものであり、前記加熱制御手段は、前記電極部と前記ヒーター部とが一体となった部材から前記生体信号測定手段が生体信号を取得しない時間に、この部材に電流を供給してヒーター部として動作させることを特徴とするものである。
【００１２】
また、本発明は、絶縁性を有する基材と、この基材の生体と接触する面に配置された導電性材料からなる電極部と、前記基材に配置され、前記電極部と接触している生体の皮膚表面を加熱するための導電性材料からなるヒーター部とを備えた生体信号取得電極から、生体信号を取得する生体信号取得方法であって、前記電極部が検出した生体信号を取得する生体信号測定ステップと、前記ヒーター部に電流を供給して発熱させることにより、前記電極部と接触している生体の皮膚表面を加熱する加熱制御ステップとを含むことを特徴とするものである。
【００１３】
また、本発明は、絶縁性を有する基材と、この基材の生体と接触する面に配置された導電性材料からなる電極部と、前記基材に配置され、前記電極部と接触している生体の皮膚表面を加熱するための導電性材料からなるヒーター部と、前記基材の生体と接触する面に配置され、生体の皮膚表面の温度を測定する温度センサと、前記基材の生体と接触する面に配置され、生体の皮膚表面の保湿具合を測定する水分センサとを備えた生体信号取得電極から、生体信号を取得する生体信号取得方法であって、前記電極部が検出した生体信号を取得する生体信号測定ステップと、前記電極部と生体との間の接触インピーダンスを測定するインピーダンス測定ステップと、前記インピーダンス測定ステップで測定した接触インピーダンスと前記温度センサが測定した温度と前記水分センサが測定した保湿具合のうち少なくとも１つに応じて、前記ヒーター部への電流供給を制御する加熱制御ステップとを含むことを特徴とするものである。
【発明の効果】
【００１４】
本発明によれば、生体信号取得電極のヒーター部によって生体の皮膚表面の加熱が可能である。ヒーター部が発熱すると、生体の皮膚表面が温められ、発汗が生じる。この汗により電極部に含浸されている保湿成分を補給することができ、電解質が基材と皮膚との間で適度な湿気を保持する役割を果たす。本発明では、電極部の乾燥を防止することが可能となり、電極部に保湿剤や導電性液体を補充することなく、長期間にわたり生体信号の取得が可能となる。
【００１５】
また、本発明では、さらに、生体の皮膚表面の温度を測定する温度センサと、生体の皮膚表面の保湿具合を測定する水分センサとを生体信号取得電極に設けることにより、温度センサが測定した温度と水分センサが測定した保湿具合のうち少なくとも１つに応じて、ヒーター部への電流供給を制御することが可能になる。
【００１６】
また、本発明では、電極部とヒーター部とを同一の材料で一体の部材として成形することにより、生体信号取得電極を簡略化することができ、生体信号取得電極と生体信号取得装置との間の配線数を減らすことができる。
【００１７】
また、本発明では、基材と電極部とヒーター部と温度センサと水分センサとを備えた生体信号取得電極から、生体信号を取得する生体信号取得装置にインピーダンス測定手段を設けることにより、インピーダンス測定手段が測定した接触インピーダンスと温度センサが測定した温度と水分センサが測定した保湿具合のうち少なくとも１つに応じて、ヒーター部への電流供給を制御することが可能になるので、必要に応じて生体の皮膚表面を温めて発汗を生じさせることにより、長期間にわたり生体信号を取得することができ、かつ火傷などの創傷が生じないように生体の皮膚表面の温度をモニタリングすることが可能になる。
【図面の簡単な説明】
【００１８】
【図１】本発明の第１の実施の形態に係る生体信号取得装置の構成を示す模式図である。
【図２】本発明の第１の実施の形態に係る生体信号取得装置を人体に装着した様子を示す模式図である。
【図３】本発明の第１の実施の形態に係る生体信号取得装置の制御部の構成例を示すブロック図である。
【図４】本発明の第２の実施の形態に係る生体信号取得装置の構成を示す模式図である。
【図５】本発明の第２の実施の形態に係る生体信号取得装置の制御部の構成例を示すブロック図である。
【図６】人体の角質水分量の計測結果を示す図である。
【図７】本発明の第２の実施の形態に係る生体信号取得装置の動作を示すフローチャートである。
【図８】本発明の第３の実施の形態に係る生体信号取得装置の構成を示す模式図である。
【発明を実施するための形態】
【００１９】
以下、好適な実施の形態に基づき、図面を参照して本発明を説明するが、本発明はかかる実施の形態に限定されない。以下、本発明の具体例を実施の形態として説明する。
【００２０】
［第１の実施の形態］
図１は、本発明の第１の実施の形態に係る生体信号取得装置の構成を示す模式図である。生体信号取得装置は、生体信号取得電極１と、生体信号取得電極１が検出した生体信号を取得する制御部２と、生体信号取得電極１と制御部２とを接続する配線３とから構成される。
【００２１】
生体信号取得電極１は、絶縁性、保湿性を有する繊維または布からなるシート状の基材１０と、基材１０の生体と接触する面に配置された導電性材料からなる電極部１１と、基材１０の生体と接触する面と反対側の面に配置された導電性材料からなるヒーター部１２とから構成される。
【００２２】
生体信号取得電極１は、人やその他動物などの生体から得られる電気信号（以下、生体信号）を測定するための電極であるが、以下の説明では人の心拍や心電を測定するための構成について説明する。生体信号を取得する例として、生体信号取得電極１を人体の脇下に相当する位置に取り付けた場合について説明するが、脇下以外の部位や人以外の動物に用いる場合でも、以下の説明と同様にすることで実現可能である。
【００２３】
図２に示す例では、生体信号取得電極１と制御部２と配線３とを例えばシャツ等の衣類４に縫い付けたり接着したりすることで、生体信号取得装置が衣類４に固定されている。生体信号取得電極１は、衣類４の人体と接触する側に、例えば人体の脇下の皮膚表面と電極部１１とが接触するように設けられている。ヒーター部１２は、電極部１１と接触している部分の皮膚表面を加熱するため、電極部１１を覆うような形態で配置される。
【００２４】
ヒーター部１２と電極部１１とを電気的に絶縁するため、これらの間に絶縁性を有する基材１０を設けてある。また、基材１０は、ヒーター部１２による加熱によって発汗した皮膚表面の乾燥を抑える役割も担う。基材１０、電極部１１、ヒーター部１２の具体的な構成については後述の実施の形態で詳細に説明する。
【００２５】
図３は制御部２の構成例を示すブロック図である。制御部２は、生体信号を測定する生体信号測定部２０と、ヒーター部１２を制御する加熱制御部２１と、バッテリー等の電源２２とを備えている。
【００２６】
制御部２は、配線３を介して生体信号取得電極１と接続されている。電極部１１で受信した生体信号は、配線３を介して制御部２の生体信号測定部２０に送信される。制御部２の加熱制御部２１は、配線３を介してヒーター部１２に電流を供給し、ヒーター部１２を発熱させることにより、電極部１１と接触している部分の皮膚表面の温度を上昇させる。制御部２は、制御部自体の動作とヒーター部１２への電力供給のために電源２２を備えている。
【００２７】
本実施の形態の生体信号取得電極１は、以上のような構成により、ヒーター部１２によって生体の皮膚表面の加熱が可能となっている。ヒーター部１２が発熱すると、生体の皮膚表面が温められ、発汗が生じる。汗はナトリウムなどの電解質を多く含むことから、汗自身が導電性液体となる。この汗により電極部１１に含浸されている保湿成分を補給することができ、電解質が基材１０と皮膚との間で適度な湿気を保持する役割を果たす。こうして、本実施の形態では、電極部１１の乾燥を防止することが可能となり、長期間に渡り生体信号の取得が可能となる。
【００２８】
なお、本実施の形態では、生体信号取得電極１と制御部２とが離間して配置され、これら生体信号取得電極１と制御部２とがシャツ等の衣類４に固定されるものとして説明しているが、これに限定されない。例えば、生体信号取得電極１と制御部２とを一体的なユニットとして人の腕などに装着されるものにすることも可能である。
【００２９】
［第２の実施の形態］
次に、本発明の第２の実施の形態について説明する。図４は、本発明の第２の実施の形態に係る生体信号取得装置の構成を示す模式図であり、図１と同一の構成には同一の符号を付してある。本実施の形態の生体信号取得装置は、生体信号取得電極１ａと、制御部２ａと、生体信号取得電極１ａと制御部２ａとを接続する配線３ａ（３−１〜３−４）とから構成される。
【００３０】
生体信号取得電極１ａは、シート状の基材１０と、基材１０の生体と接触する面に配置された導電性材料からなる電極部１１と、基材１０の生体と接触する面と反対側の面に配置された導電性材料からなるヒーター部１２と、基材１０の生体と接触する面に配置され、生体の皮膚表面の温度を測定する温度センサ１３と、基材１０の生体と接触する面に配置され、生体の皮膚表面の保湿具合を測定する水分センサ１４とから構成される。
【００３１】
図２の例と同様に、生体信号取得電極１ａと制御部２ａと配線３ａとを例えばシャツ等の衣類に縫い付けたり接着したりすることで、生体信号取得装置が衣類に固定される。生体信号取得電極１ａは、電極部１１と温度センサ１３と水分センサ１４とが人体の脇下の皮膚表面と接触するように設けられている。ヒーター部１２は、生体信号取得電極１ａと接触している部分の皮膚表面を加熱するため、電極部１１と温度センサ１３と水分センサ１４とを覆うような形態で配置される。
【００３２】
電極部１１およびセンサ１３，１４と、ヒーター部１２とを電気的に絶縁するため、電極部１１およびセンサ１３，１４と、ヒーター部１２との間に絶縁性を有する基材１０を設けてある。また、基材１０は、ヒーター部１２による加熱によって発汗した皮膚表面の乾燥を抑える役割も担う。
【００３３】
電極部１１は、高い保水性を有し、皮膚炎や掻痒感等の違和感を生じる可能性が少ない導電性材料からなることが好ましい。具体的には、電極部１１の材料として、国際公開ＷＯ２０１３／０７３６７３に開示された（３，４−エチレンジオキシチオフェン）／ポリ（４−スチレンスルホン酸）（以下、ＰＥＤＯＴ−ＰＳＳと記載する）等の導電性高分子材料が使用される。ＰＥＤＯＴ−ＰＳＳが単独で固化された導電体は、ＰＥＤＯＴ−ＰＳＳが有する高い吸水性により、発汗する皮膚等の比較的湿潤な環境においてゲル化し、機械的強度が極端に低下する。このため、棒状又は板状に加工したＰＥＤＯＴ−ＰＳＳからなる導電体を単独で皮膚面に設置して、長期間に亘り使用することは困難である。
【００３４】
本実施の形態の電極部１１は、接着性材料であるバインダー樹脂およびバインダー樹脂を構成する重合性化合物（モノマー）の少なくとも一方と、導電フィラーである導電性高分子とを混合した樹脂組成物、またはこれらに必要に応じて溶剤を添加した樹脂組成物を、基材１０に塗布、印刷、浸漬、噴霧、滴下等することにより付着させ、更に、乾燥、加温、加熱、光照射等により樹脂組成物を固化または重合させたものである。樹脂組成物に含まれる導電性高分子はバインダー樹脂に練り込まれて固化され、更に基材１０によって支持されているため、耐久性に優れる。
【００３５】
バインダー樹脂の種類は特に制限されず、導電性高分子の導電性を失活させることなく、基材１０に導電性高分子を接着（結着）させることが可能なバインダー樹脂であれば、従来公知のバインダー樹脂が適用可能である。また、１種のバインダー樹脂を単独で用いてもよいし、２種以上を組み合わせて併用してもよい。２種以上のバインダー樹脂を組み合わせることにより、バインダー樹脂の硬化性、接着性（粘着性）、取り扱い易さ（塗布等の作業性）を高められる場合がある。
【００３６】
バインダー樹脂としては、例えば、熱可塑性樹脂、熱硬化性樹脂、光硬化性樹脂などが用いられ、例えばナフィオン、ポリカーボネート、ポリアクリロニトリル、ポリエチレン、ポリプロピレン、ポリブテン、ポリエーテル、ポリエステル、ポリスチレン、ポリ−ｐ−キシレン、ポリ酢酸ビニル、ポリアクリレート、ポリメタクリレート、ポリ塩化ビニル、ポリ塩化ビニリデン、ポリビニルエーテル、ポリビニルケトン、ポリアミド、ブタジエン系樹脂、フッ素系樹脂などの熱可塑性エラストマーを含む熱可塑性樹脂、ポリウレタン系樹脂、尿素樹脂、メラミン樹脂、変性シリコーン樹脂、フタル酸樹脂、フェノール樹脂、フラン樹脂、アニリン樹脂、不飽和ポリエステル樹脂、キシレン・ホルムアルデヒド樹脂、エポキシ樹脂などの熱硬化性樹脂、エポキシアクリレート系、アクリルエポキシカチオン重合系、感光性ポリイミドなどの光硬化性樹脂などが挙げられる。これらのうち、上記各種ビニル樹脂、ナフィオン、ポリアミド、ポリエチレン、ポリプロピレン、フタル酸樹脂、変性シリコーン樹脂、アクリル系樹脂が好ましい。
【００３７】
特にアクリル系樹脂は基材１０（繊維または布）との接着性が高く、基材１０から剥がれ落ちにくいことから、バインダー樹脂として最も好ましい。さらにアクリル系樹脂は粘着性の調節が容易であり、加工性が高く、添加剤による柔軟性の付与や、接着および硬化作業が比較的容易であるため、導電性高分子を基材１０の表面や繊維間にバインドする用途に特に適している。
【００３８】
本実施の形態の電極部１１を作製する際にバインダー樹脂の前駆体である未重合のモノマーを前記樹脂組成物に含有させる場合、重合後（固化後）の樹脂組成物には、未重合のモノマーが残存していてもよい。なお、樹脂組成物中のモノマーは、基材１０に付着した後に、加熱（熱硬化）、光照射（光硬化）、重合促進剤の添加等により、積極的に重合されてもよいし、乾燥、加温、空気との接触等により、穏やかに自発的に重合されてもよい。
【００３９】
本実施の形態の電極部１１を作製する際、予め重合した樹脂（ポリマー）をバインダー樹脂として前記樹脂組成物に含有させてもよい。このようなバインダー樹脂の好ましい具体例として、次に例示するモノマーが重合した重合体が挙げられる。アクリルモノマーとしては、例えば、（メタ）アクリル酸、メチル（メタ）アクリレート、エチル（メタ）アクリレート、ｎ−ブチル（メタ）アクリレート、ｔ−ブチル（メタ）アクリレート、イソブチル（メタ）アクリレート、ヘキシル（メタ）アクリレート、オクチル（メタ）アクリレート、シクロヘキシル（メタ）アクリレート、テトラヒドロフルフリル（メタ）アクリレート、２−ヒドロキシメチル（メタ）アクリレート、２−ヒドロキシエチル（メタ）アクリレート、２−ヒドロキシプロピル（メタ）アクリレート、２−エチルヘキシル（メタ）アクリレート、ステアリル（メタ）アクリレート、ラウリル（メタ）アクリレート、メトキシポリエチレングリコール＃４００（メタ）アクリレート、メトキシポリエチレングリコール＃１０００（メタ）アクリレート、メトキシポリエチレングリコール＃２０００（メタ）アクリレート、グリシジル（メタ）アクリレート、（メタ）アクリルアミド、メチル（メタ）アクリルアミド、エチル（メタ）アクリルアミド、プロピル（メタ）アクリルアミド、イソプロピル（メタ）アクリルアミド、ブチル（メタ）アクリルアミド、ジアセトン（メタ）アクリルアミド、Ｎ−メチロール（メタ）アクリルアミド、Ｎ−ヒドロキシエチル（メタ）アクリルアミド、Ｎ−ヒドロキシプロピル（メタ）アクリルアミド、Ｎ−ヒドロキシブチル（メタ）アクリルアミド、Ｎ−メトキシメチル（メタ）アクリルアミド、Ｎ−エトキシメチル（メタ）アクリルアミド、Ｎ−ブトキシメチル（メタ）アクリルアミド、Ｎ−イソブトキシメチル（メタ）アクリルアミド等が挙げられる。
【００４０】
これらのアクリル樹脂をバインダー樹脂として用いることにより、基材１０に導電性高分子とバインダー樹脂との混合物を確実に固定することができ、当該混合物の耐摩耗性、耐剥離性、耐水性、耐化学性および機械的強度をより向上させることができるとともに、アクリル樹脂に埋包された導電性高分子の導電性を容易に維持することができる。
【００４１】
さらに、混合物中の導電性高分子とアクリル樹脂との配合比にもよるが、アクリル樹脂に埋包された導電性高分子が有する親水性および柔軟性が維持されて、当該混合物にこれらの性質がある程度反映される。親水性および柔軟性は、電極部１１の好ましい特性として求められる性質である。導電性高分子の性質がアクリル樹脂に埋包された後も維持される理由は、埋包された状態においても導電性高分子同士の接触が維持され、更に、当該混合物の表面に導電性高分子の少なくとも一部が露出するためであると考えられる。
【００４２】
混合物に含まれる導電性高分子の含有量を調整することにより、得られる電極部１１の導電性を調整することができる。通常は、導電性高分子の含有量を高める程、電極部１１の導電性を高めることができる。混合物に含まれるバインダー樹脂の種類や含有量を目的に合わせて選択することにより、得られる電極部１１の性質を調整することができる。例えば、親水性（疎水性）、ぬれ性、吸水性、耐水性、耐摩耗性、耐剥離性、耐化学性、耐熱性等を調整することができる。通常は、バインダー樹脂の含有量を高める程、当該バインダー樹脂が有する性質を電極部１１により多く反映させることができる。
【００４３】
電極部１１の寸法は、生体信号を検出することができる寸法であればよく、任意に設定可能である。電極部１１の材料として導電性高分子材料を用い、電極部１１に生体親和性の高いグリセロールや化粧水などの保湿成分を塗布または浸漬させると、この保湿成分と人の皮膚から滲み出る汗に含まれる電解質成分とにより、電極部１１と皮膚との接触インピーダンスを低下させることができ、生体信号を安定に（高いＳ／Ｎ比で）取得することが可能となる。
【００４４】
電極部１１は、配線３−１を介して制御部２ａと電気的に接続されている。電極部１１で受信した生体信号は、配線３−１を介して制御部２ａに送信される。電極部１１と配線３−１との接続は、電極部１１の端子（不図示）を介して行われる。端子は、少なくとも一部が電極部１１と電気的に接続されていればよく、端子の電極部１１への固定方法としては例えば接着などの方法、あるいは金属製スナップからなる端子を電極部１１に装着するなどの方法を採用することができる。
【００４５】
なお、本実施の形態では、電極部１１を基材１０に直接付着させる作製方法の例で説明しているが、これに限るものではなく、例えば基材１０と同様の絶縁性を有する繊維または布に電極部１１を付着させた上で、この繊維または布の電極部１１が形成されていない面を基材１０に固定するようにしてもよい。繊維または布の基材１０への固定方法としては粘着シールまたは接着などの方法を採用することができる。
【００４６】
ヒーター部１２は、生体信号取得電極１ａと接触している部分の皮膚表面を加熱することが可能な素子であり、例えば、導電性高分子で被覆された繊維または布で構成されているヒーター繊維や、電熱線などをヒーター部１２とすることができる。導電性高分子としては、例えばポリアニリン、ポリアセチレン、ポリピロールおよびＰＥＤＯＴ−ＰＳＳからなる群より選ばれる一種類または二種類以上の混合物が挙げられる。ヒーター部１２の柔軟性、安定性および生体親和性が高まる点から、導電性高分子にはＰＥＤＯＴ−ＰＳＳが含まれていることが好ましい。
【００４７】
導電性高分子を繊維または布に付着させる方法としては、含浸等の方法がある。導電性高分子で被覆される繊維または布としては、例えば綿、麻、羊毛、絹、レーヨン、ポリノジック、キュプラ、アセテート、ナイロン、ポリエステル、アクリル、ビニロン、ポリプロピレンからなる群より選ばれる一種類の繊維または二種類以上の繊維を混紡したものが挙げられる。ヒーター部１２の基材１０への固定方法としては粘着シールまたは接着などの方法を採用することができる。
【００４８】
ヒーター部１２は、配線３−２を介して制御部２ａと電気的に接続されている。制御部２ａは、配線３−２を介してヒーター部１２に電流を供給し、ヒーター部１２を発熱させることにより、生体信号取得電極１ａと接触している部分の皮膚表面の温度を上昇させる。ヒーター部１２の加熱のタイミングや加熱温度は、制御部２ａによって制御される。ヒーター部１２と配線３−２との接続は、ヒーター部１２の端子（不図示）を介して行われる。端子は、少なくとも一部がヒーター部１２と電気的に接続されていればよく、端子のヒーター部１２への固定方法としては例えば接着などの方法、あるいは金属製スナップからなる端子をヒーター部１２に装着するなどの方法を採用することができる。
【００４９】
温度センサ１３は、生体の皮膚表面の温度を測定することが可能な素子であり、例えば温度センサ１３として、文献「“シートカップル  ＣＯ６０”，株式会社チノー，＜http://www.chino.co.jp/products/sensors/c060.html＞」に記載されたような熱電対を利用することができる。温度センサ１３の基材１０への固定方法としては粘着シールまたは接着などの方法を採用することができる。温度センサ１３は、配線３−３を介して制御部２ａと電気的に接続されている。温度センサ１３が測定した温度を示す信号（熱電対の場合は起電力）は、配線３−３を介して制御部２ａに送信される。
【００５０】
水分センサ１４は、生体の皮膚表面の保湿具合を測定することが可能な素子であり、例えば水分センサ１４として、文献「“モイスチャーチェッカー  ＭＹ８０８Ｓ”，Ｓｃａｌａｒ社，＜http://www.ureruzo.com/pdf/my-808s.pdf＞」に記載されたような機器を利用することができる。皮膚表面の保湿具合を示す値としては、例えば水分率、水分量、湿度などがある。水分センサ１４の基材１０への固定方法としては粘着シールまたは接着などの方法を採用することができる。水分センサ１４は、配線３−４を介して制御部２ａと電気的に接続されている。水分センサ１４が測定した保湿具合を示す信号は、配線３−４を介して制御部２ａに送信される。
【００５１】
基材１０としては、市販の透湿性防水繊維を用いることができる。例えば、東レ株式会社製のエントラントなどが好適である。
【００５２】
本実施の形態の生体信号取得電極１ａは、以上のような構成により、ヒーター部１２によって生体の皮膚表面の加熱が可能となっている。ヒーター部１２が発熱すると、生体の皮膚表面が温められ、発汗が生じる。汗はナトリウムなどの電解質を多く含むことから、汗自身が導電性液体となる。この汗により電極部１１に含浸されている保湿成分を補給することができ、電解質が基材１０と皮膚との間で適度な湿気を保持する役割を果たす。こうして、本実施の形態では、電極部１１の乾燥を防止することが可能となり、長期間に渡り生体信号の取得が可能となる。
【００５３】
図５は制御部２ａの構成例を示すブロック図であり、図３と同一の構成には同一の符号を付してある。制御部２ａは、生体信号測定部２０と、加熱制御部２１ａと、バッテリー等の電源２２と、電極部１１と生体との間の接触インピーダンスを測定するインピーダンス測定部２３と、生体信号の測定不可を示すエラー情報を出力するエラー出力部２４とを備えている。
【００５４】
制御部２ａは、電極部１１から生体信号を受信し、かつヒーター部１２を制御する。具体的には、制御部２ａの生体信号測定部２０が生体信号を測定しながら、インピーダンス測定部２３が定期的に接触インピーダンスを測定する。生体信号の測定の種類としては、例えば心電測定、心拍測定などがある。
【００５５】
電極部１１と生体との間の接触インピーダンスを測定するためには、例えば１対の電極部１１の間に電圧を印加して、１対の電極部１１の間に流れる電流を測定し、印加した電圧と測定した電流値とに基づいて接触インピーダンスを算出すればよい。なお、ここでは、制御部２ａの構成および処理を簡略化するため、簡単な方法で接触インピーダンスを求めている。ここで求めるインピーダンスは、厳密には接触インピーダンス単独ではなく、生体の皮膚インピーダンスと電極部１１のインピーダンスとを含むものであるが、本実施の形態では接触インピーダンスとして説明する。接触インピーダンスは、特定の周波数において測定すればよい。
【００５６】
制御部２ａの加熱制御部２１ａは、インピーダンス測定部２３が測定した接触インピーダンスが対応するインピーダンス規定値（例えば、５０ｋΩ）以上となった場合、すなわち電極部１１と生体の皮膚表面との電気的接触が十分でなくなった場合には、ヒーター部１２へ電流を供給してヒーター部１２の発熱を開始させる。
【００５７】
加えて、加熱制御部２１ａは、水分センサ１４が測定した生体の皮膚表面の保湿具合をモニタリングし、保湿具合を示す値（水分率、水分量、湿度など）が保湿具合規定値となるまで加熱温度を制御する。さらに、加熱制御部２１ａは、温度センサ１３が測定した生体の皮膚表面の温度をモニタリングし、皮膚表面の温度が規定の温度（例えば、４５℃）となった場合にヒーター部１２への電流供給を止めることで、火傷などの創傷を防止する。
【００５８】
人体の皮膚表面の保湿具合に関して、角質水分量計（装置名：コルネオメーター、型番：ＣＭ８２５、メーカー：Ｃｏｕｒａｇｅ＋Ｋｈａｚａｋａ社製）を用いた評価を行なった。この角質水分量計では、プローブ先端から電界を人の皮膚に発生させて皮膚表面から約１５μｍの範囲に含まれる水分量を静電容量として計測する。水の誘電率定数は他の物質と比べて突出して高いため、皮膚が水分を多く含有すると静電容量値が大きくなる。角質水分量計では、静電容量に応じて、０から１２０の指数で角質水分量の数値が表示される。
【００５９】
図６は、角質水分量計を用いて計測した、被験者６９名の角質水分量の計測結果である。この図６において、角質水分量の指数が８０以上の場合、安定して生体信号が得られることが分かっている。したがって、生体の皮膚表面の保湿具合を示す値として水分量を測定する場合には、図６の指数８０に対応する水分量を保湿具合規定値として設定しておけばよい。
【００６０】
なお、図２から明らかなとおり、第１の実施の形態の生体信号取得電極１または本実施の形態の生体信号取得電極１ａは、必要に応じて複数個設けられてもよい。例えば接触インピーダンスを測定する場合には、複数個の電極間でインピーダンスを測定する必要があるので、電極が複数個必要である。制御部２，２ａは、各電極１，１ａに対して、個別に生体信号の受信や加熱の制御を実行するものとすることも可能である。また、１つの基材１０に複数個の電極部１１を設けるようにしてもよい。
【００６１】
次に、本実施の形態の生体信号取得装置の動作について説明する。図７は生体信号取得装置の動作を示すフローチャートである。
まず、制御部２ａのインピーダンス測定部２３は、電極部１１と生体との間の接触インピーダンスを測定する（図７ステップＳ１）。
【００６２】
制御部２ａの生体信号測定部２０は、接触インピーダンスが対応するインピーダンス規定値以上でない場合（図７ステップＳ２においてＮｏ）、生体信号測定を行なう（図７ステップＳ３）。こうして、接触インピーダンスがインピーダンス規定値未満の場合は、生体信号の測定が定期的に行なわれる。
【００６３】
次に、接触インピーダンスがインピーダンス規定値以上となった場合（図７ステップＳ２においてＹｅｓ）、制御部２ａの加熱制御部２１ａは、温度センサ１３から温度を示す信号を取得する（図７ステップＳ４）。加熱制御部２１ａは、温度センサ１３が測定した温度が対応する温度規定値未満の場合（図７ステップＳ５においてＮｏ）、水分センサ１４から保湿具合を示す信号を取得する（図７ステップＳ６）。加熱制御部２１ａは、水分センサ１４が測定した保湿具合を示す値が保湿具合規定値未満の場合（図７ステップＳ７においてＮｏ）、ヒーター部１２に電流を供給して、ヒーター部１２による加熱を一定時間行ない（図７ステップＳ８）、ステップＳ１に戻る。
【００６４】
一方、ステップＳ５において温度が温度規定値以上となった場合、またはステップＳ７において保湿具合を示す値が保湿具合規定値以上となった場合、接触インピーダンス、生体信号、温度および保湿具合の測定を規定時間中止する（図７ステップＳ９）。測定を中止した回数が規定回数未満の場合（図７ステップＳ１０においてＮｏ）、ステップＳ９の測定中止時点から規定時間が経過した後にステップＳ１に戻り、インピーダンス測定を再び開始する。
【００６５】
制御部２ａのエラー出力部２４は、測定を中止した回数が規定回数以上の場合（図７ステップＳ１０においてＹｅｓ）、エラー情報を出力して（図７ステップＳ１１）、図７の一連の動作を終了する。エラー情報の出力形態としては、例えばエラー信号の外部への出力、ＬＥＤの点灯、エラーメッセージの表示、音声出力等がある。
【００６６】
本実施の形態では、生体信号測定中において規定時間が経過すると、接触インピーダンスが測定される。規定時間は任意の値であり、モニタリングしたい時間に対して、保湿がなされている時間で決定することができる。インピーダンス測定部２３により測定された接触インピーダンスがインピーダンス規定値未満の場合、電極部１１は乾燥していないと判断でき、生体信号測定が再開される。一方、接触インピーダンスがインピーダンス規定値以上で、保湿具合を示す値が保湿具合規定値未満の場合、電極部１１が乾燥していると判断できる。この場合、ヒーター部１２により皮膚表面が加熱される。この後、ステップＳ１からのシーケンスが再度実行される。
【００６７】
上記のようにヒーター部１２による加熱により生体信号取得電極１ａが接触する皮膚表面が温められて発汗が生じ、電極部１１の水分および電解質が補給される。
以上のように、本実施の形態に係る生体信号取得装置においては、生体の発汗を利用して電極部１１の乾燥を防止することが可能となるため、電極部１１に保湿剤や導電性液体を都度補充することなく、長時間にわたって生体信号の測定を実行することが可能となる。
【００６８】
なお、本実施の形態では、インピーダンス測定部２３が測定した接触インピーダンスがインピーダンス規定値以上で、温度センサ１３が測定した温度が温度規定値未満で、水分センサ１４が測定した保湿具合を示す値が保湿具合規定値未満の場合のみ、ヒーター部１２に電流を供給しているが、これに限るものではなく、インピーダンス測定部２３が測定した接触インピーダンスがインピーダンス規定値以上、水分センサ１４が測定した保湿具合を示す値が保湿具合規定値未満の２つの条件のうち少なくとも１つが成立する場合に、ヒーター部１２に電流を供給するようにしてもよい。
【００６９】
また、本実施の形態では、生体信号取得電極１ａと制御部２ａとが離間して配置され、これら生体信号取得電極１ａと制御部２ａとがシャツ等の衣類に固定されるものとして説明しているが、これに限定されない。例えば、生体信号取得電極１ａと制御部２ａとを一体的なユニットとして人の腕などに装着されるものにすることも可能である。
【００７０】
［第３の実施の形態］
次に、本発明の第３の実施の形態について説明する。図８は、本発明の第３の実施の形態に係る生体信号取得装置の構成を示す模式図であり、図１、図４と同一の構成には同一の符号を付してある。本実施の形態の生体信号取得装置は、生体信号取得電極１ｂと、制御部２ｂと、生体信号取得電極１ｂと制御部２ｂとを接続する配線３ｂ（３−３〜３−５）とから構成される。
【００７１】
生体信号取得電極１ｂは、シート状の基材１０と、基材１０の生体と接触する面および反対側の面に配置された導電性材料からなる電極部１１ｂと、温度センサ１３と、水分センサ１４とから構成される。図２の例と同様に、生体信号取得電極１ｂと制御部２ｂと配線３ｂとを例えばシャツ等の衣類に縫い付けたり接着したりすることで、生体信号取得装置が衣類に固定される。生体信号取得電極１ｂは、電極部１１ｂと温度センサ１３と水分センサ１４とが人体の脇下の皮膚表面と接触するように設けられている。
【００７２】
電極部１１ｂは抵抗を有するため、電流を流すと発熱する。したがって、生体信号を測定しない時間に電極部１１ｂへ電流を流すことで、電極部１１ｂをヒーター部として利用することができる。電極部１１ｂの作製方法は電極部１１と同様でよいが、電極としての役割とヒーターとしての役割を持たせるため、電極部１１ｂの一部が生体の皮膚表面と接触し、かつこの接触箇所と温度センサ１３と水分センサ１４とを覆うように電極部１１ｂが配置される。
【００７３】
制御部２ｂの構成は図５に示した制御部２ａと同様であるので、図５の符号を用いて説明する。制御部２ｂの加熱制御部２１ａは、生体信号測定部２０が生体信号を取得しない時間に、電極部１１ｂへ電流を供給することで、電極部１１ｂを発熱させ、ヒーター部として利用する。他の動作は制御部２ａと同じである。
【００７４】
本実施の形態によれば、第２の実施の形態と比較して生体信号取得電極１ｂの構成を簡略化することができ、生体信号取得電極１ｂと制御部２ｂとの間の配線３ｂの数を減らすことができる。
【００７５】
なお、本実施の形態では、生体信号取得電極１ｂと制御部２ｂとが離間して配置され、これら生体信号取得電極１ｂと制御部２ｂとがシャツ等の衣類に固定されるものとして説明しているが、これに限定されない。例えば、生体信号取得電極１ｂと制御部２ｂとを一体的なユニットとして人の腕などに装着されるものにすることも可能である。
【００７６】
第１〜第３の実施の形態で説明した制御部２，２ａ，２ｂは、ＣＰＵ（Central Processing Unit）、記憶装置及びインタフェースを備えたコンピュータと、これらのハードウェア資源を制御するプログラムによって実現することができる。ＣＰＵは、記憶装置に格納されたプログラムに従って第１〜第３の実施の形態で説明した処理を実行する。
【産業上の利用可能性】
【００７７】
本発明に係る生体信号取得電極は、医療をはじめ、ヘルスプロモーションやインフォメーションテクノロジー、ウエアラブルコンピューターなどの幅広い分野において、長時間の連続使用が可能な体表面装着型の生体電極として広く利用可能である。
【符号の説明】
【００７８】
１，１ａ，１ｂ…生体信号取得電極、２，２ａ，２ｂ…制御部、３，３ａ，３ｂ，３−１〜３−５…配線、４…衣類、１０…基材、１１，１１ｂ…電極部、１２…ヒーター部、１３…温度センサ、１４…水分センサ、２０…生体信号測定部、２１，２１ａ…加熱制御部、２２…電源、２３…インピーダンス測定部、２４…エラー出力部。
【図１】
2015077321.tif 000003
【図２】
2015077321.tif 000004
【図３】
2015077321.tif 000005
【図４】
2015077321.tif 000006
【図５】
2015077321.tif 000007
【図６】
2015077321.tif 000008
【図７】
2015077321.tif 000009
【図８】
2015077321.tif 000010